(57)【要約】【課題】生産能力及び取り扱い性が向上し、製品完成後に誤配線が発見されても結線の修復が可能な配線ユニットケーブル用ジョイントボックスを提供する。【解決手段】略箱状のジョイントボックス本体２と、ジョイントボックスカバー３とが一体または別体に成形され、これらが係合されることで結線部が外部から保護される配線ユニットケーブル用ジョイントボックスにおいて、前記結線部は、穴部１８ａを有する端子１８と前記絶縁線心１７とが電気的に接続されて形成され、前記本体側基板４には、前記端子１８の穴部１８ａを貫通させるための突起状の端子係止部６が形成され、前記ジョイントボックスカバー３には、前記ジョイントボックス本体２と前記ジョイントボックスカバー３とが係合されることで前記端子係止部６と接触し、前記端子係止部６に貫通された端子１８の抜けが阻止される係止部材１４が設けられる。【選択図】　図４
2004072976.tif 000002
【特許請求の範囲】
【請求項１】
本体側基板を有する略箱状のジョイントボックス本体と、カバー側基板を有するジョイントボックスカバーとが設けられ、かつ前記ジョイントボックス本体と前記ジョイントボックスカバーとが一体または別体に成形され、
前記ジョイントボックス本体に前記ジョイントボックスカバーが係合されることで、各配線ユニットケーブルのおのおのの端部から引出された絶縁線心の端部が所定の回路となるように形成された結線部が外部から保護される配線ユニットケーブル用ジョイントボックスにおいて、
前記結線部は、穴部を有する端子と前記絶縁線心とが電気的に接続されて形成され、前記本体側基板には、前記端子の穴部を貫通させるための突起状の端子係止部が形成され、前記ジョイントボックスカバーには、前記ジョイントボックス本体と前記ジョイントボックスカバーとが係合されることで前記端子係止部と接触し、前記端子係止部に貫通された端子の抜けが阻止される係止部材が設けられることを特徴とする配線ユニットケーブル用ジョイントボックス。
【請求項２】
前記係止部材は前記端子係止部と嵌合する凹状に形成されていることを特徴とする請求項１に記載の配線ユニットケーブル用ジョイントボックス。
【請求項３】
前記端子係止部は前記本体側基板の表面に設けられ、前記本体側基板の表面側に１つのジョイントボックスカバーが係合されることを特徴とする請求項１または２に記載の配線ユニットケーブル用ジョイントボックス。
【請求項４】
前記端子係止部は、前記本体側基板の表裏面に設けられ、前記本体側基板の表面側と裏面側にそれぞれ１つのジョイントボックスカバーが係合されることを特徴とする請求項１または２に記載の配線ユニットケーブル用ジョイントボックス。
【請求項５】
前記本体側基板には、絶縁線心が前記本体側基板の表裏面に配索可能となる貫通孔が形成されることを特徴とする請求項４に記載の配線ユニットケーブル用ジョイントボックス。
【請求項６】
前記ジョイントボックス本体の前記端子係止部間には本体側隔壁が立設され、前記ジョイントボックスカバーの前記係止部材間にはカバー側隔壁が設けられ、該本体側隔壁とカバー側隔壁とが係合されることを特徴とする請求項１，２，３，４または５に記載の配線ユニットケーブル用ジョイントボックス。
【請求項７】
前記ジョイントボックスカバーには、前記ジョイントボックス本体に対して係合および離脱が自在となるロック手段が形成されることを特徴とする請求項１，２，３，４，５または６に記載の配線ユニットケーブル用ジョイントボックス。
【発明の詳細な説明】
【０００１】
【発明の属する技術分野】
本発明は、配線ユニットケーブル用ジョイントボックスに関し、特に、結線部周りの樹脂モールドをなくした構造の配線ユニットケーブル用ジョイントボックスに関する。
【０００２】
【従来の技術】
近年、玄関や居間や寝室などの各部屋別にユニット化した部屋ユニットを住宅メーカーの工場で製造し、それらを施工現場で施主の希望や敷地形状に応じて組み付けることにより、一つの家屋が出来上がるようなプレハブ住宅工法が知られている。プレハブ住宅工法においては、各部屋ユニット別の配線も予め工場内で行われるようになっており、その配線によって屋内配線作業の簡素化も達成することができるようになっている。屋内配線作業の簡素化を達成するためには、ジョイントボックスが用いられている。
【０００３】
従来のジョイントボックスとしては、その内部に、エポキシ樹脂等の絶縁性の熱硬化樹脂を充填・モールドして、分岐接続した屋内配線ユニットケーブルの結線部を固定及び保護するような構造のものになっている。なお、上記屋内配線ユニットケーブルは、用途に応じて二芯ケーブル、三芯ケーブル等のものが使用されている。
【０００４】
【発明が解決しようとする課題】
ところで、上記従来のジョイントボックスにあっては、熱硬化樹脂の硬化時間が必然的に発生して生産能力を向上させることができないという問題点を有している。また、ジョイントボックスの製品完成後にケーブル結線の誤配線が発覚しても、結線部が樹脂モールドされているために修復が不可能であり、ジョイントボックスを廃棄して新たに製造し直すしかないという問題点を有している。さらに、ジョイントボックスの内部全体が樹脂モールドされているために重量が重くなり、取り扱い性に影響を来しているという問題点を有している。
【０００５】
本発明は、上述した事情に鑑みてなされるもので、生産能力及び取り扱い性が向上し、製品完成後に誤配線が発見されても結線の修復が可能な配線ユニットケーブル用ジョイントボックスを提供することを課題とする。
【０００６】
【課題を解決するための手段】
上記目的を達成するために、請求項１に記載の配線ユニットケーブル用ジョイントボックスは、本体側基板４を有する略箱状のジョイントボックス本体と、カバー側基板を有するジョイントボックスカバーとが設けられ、かつ前記ジョイントボックス本体と前記ジョイントボックスカバーとが一体または別体に成形され、前記ジョイントボックス本体に前記ジョイントボックスカバーが係合されることで、各配線ユニットケーブルのおのおのの端部から引出された絶縁線心の端部が所定の回路となるように形成された結線部が外部から保護される配線ユニットケーブル用ジョイントボックスにおいて、前記結線部は、穴部を有する端子と前記絶縁線心とが電気的に接続されて形成され、前記本体側基板には、前記端子の穴部を貫通させるための突起状の端子係止部が形成され、前記ジョイントボックスカバーには、前記ジョイントボックス本体と前記ジョイントボックスカバーとが係合されることで前記端子係止部と接触し、前記端子係止部に貫通された端子の抜けが阻止される係止部材が設けられることを特徴としている。
このように構成することにより請求項１に記載の発明によると、ジョイントボックス本体の本体側基板上に端子係止部を設けて端子を貫通させ、ジョイントボックスカバーに係止部材を設けて前記端子係止部と係止部材とが接触することで端子の抜けを阻止しているので、端子が抜け外れてしまうことがなくなり、配線ユニットケーブルが配線ユニットケーブル用ジョイントボックスに係止される。また、ジョイントボックスカバーをジョイントボックス本体から外すことで、端子係止部と係止部材とが離脱して端子を取り外すことができるので、配線ユニットケーブルを容易に回路変更や結線の修復をすることが可能となり、熱硬化樹脂性樹脂を用いることなく端子をジョイントボックスに係止させることが可能となる。
【０００７】
上記目的を達成するために、請求項２に記載の配線ユニットケーブル用ジョイントボックスは、前記係止部材が前記端子係止部と嵌合する凹状に形成されていることを特徴としている。
このように構成することにより請求項２に記載の発明によると、突起状に形成された端子係止部と、凹状に形成された係止部材とが嵌合することで、端子係止部を貫通する端子が抜け外れ難い配線ユニットケーブル用ジョイントボックスを提供することができるようになる。
【０００８】
上記目的を達成するために、請求項３に記載の配線ユニットケーブル用ジョイントボックスは、前記端子係止部は前記本体側基板の表面に設けられ、前記本体側基板の表面側に１つのジョイントボックスカバーが係合されることを特徴としている。
このように構成することにより請求項３に記載の発明によると、端子係止部を本体側基板の表面に設けたので、配索する配線ユニットケーブルの本数が少ない際に好適でコンパクトな配線ユニットケーブル用ジョイントボックスを提供できるようになる。
【０００９】
上記目的を達成するために、請求項４に記載の配線ユニットケーブル用ジョイントボックスは、前記端子係止部には前記本体側基板の表裏面に設けられ、前記本体側基板の表面側と裏面側にそれぞれ１つのジョイントボックスカバーが係合されることを特徴としている。
このように構成することにより請求項４に記載の発明によると、多くの配線ユニットケーブルを配索可能な配線ユニットケーブル用ジョイントボックスを提供できるようになる。
【００１０】
上記目的を達成するために、請求項５に記載の配線ユニットケーブル用ジョイントボックスは、前記本体側基板に絶縁線心が前記本体側基板の表裏面に配索可能となる貫通孔が形成されることを特徴としている。
このように構成することにより請求項５に記載の発明によると、本体側基板に貫通孔を設けた構成としたので、本体側基板の表裏面のどちらに配線ユニットケーブルを配置しても、その位置に関係なく、所定の回路を形成させることができる。
【００１１】
上記目的を達成するために、請求項６に記載の配線ユニットケーブル用ジョイントボックスは、前記ジョイントボックス本体の前記端子係止部間には本体側隔壁が立設され、前記ジョイントボックスカバーの前記係止部材間にはカバー側隔壁が設けられ、該本体側隔壁とカバー側隔壁とが係合されることを特徴としている。
このように構成することにより請求項６に記載の発明によると、本体側隔壁とカバー側隔壁とが係合するので、端子間の絶縁性を向上させることが可能で、かつ、配線ユニットケーブル用ジョイントボックスの強度を向上させることができる。
【００１２】
上記目的を達成するために、請求項７に記載の配線ユニットケーブル用ジョイントボックスは、前記ジョイントボックスカバーには、前記ジョイントボックス本体に対して係合および離脱が自在となるロック手段が形成されることを特徴としている。
このように構成することにより請求項７に記載の発明によると、ロック手段をジョイントボックス本体に係合させるとジョイントボックスカバーがそのジョイントボックス本体に取りつけられる。また、ロック手段をジョイントボックス本体から離脱させるとジョイントボックスカバーがそのジョイントボックス本体から取り外しされ、結線の修復が簡単に行える。
【００１３】
【発明の実施の形態】
以下、本発明に係る配線ユニットケーブル用ジョイントボックスの第一の実施の形態について説明する。
図１には、本発明に係る配線ユニットケーブル用ジョイントボックスの一実施の形態を示す概念図（配線ユニットケーブルが配索されていない状態）が示されている。
【００１４】
図１において、１は複数の配線ユニットケーブルの複数の結線部を外部に対して保護することができるように形成した配線ユニットケーブル用ジョイントボックスを示している。図においては、配線ユニットケーブルが配索される前の状態が示されている。この配線ユニットケーブル用ジョイントボックス１は、合成樹脂製のジョイントボックス本体２と、そのジョイントボックス本体２に対して着脱自在に係合する合成樹脂製のジョイントボックスカバー３とを備えて構成されている。以下、上記各構成について説明する。
【００１５】
図において、このジョイントボックス本体２は、本体側基板４と、側壁５と、該本体側基板４から立設する複数個の端子係止部６と複数個の本体側隔壁７とを有する構造となっている。
【００１６】
本体側基板４は、平坦な表裏面を有する平面視矩形状の板状の部分であって、この本体側基板４の両側端部近傍から側壁５，５が突出した状態となっている。この側壁５，５は、ジョイントボックス本体２内部に配置される配線ユニットケーブルの大きさに合わせた適宜の高さを有していて、本体側基板４と一体成形されている。そして、このような側壁５，５の外側の側面には、凹部状に形成されたロック部８が設けられた構造となっている。
【００１７】
この配線ユニットケーブル用ジョイントボックス１における端子固定手段は次のように構成されている。
ジョイントボックス本体２には、本体側基板４に複数個の端子係止部６が配置されている。本実施の形態において、この端子係止部６は、本体側基板４から略円柱状に突出するように一体成形されていて、側壁５，５間において並列に配置されている。この端子係止部６の突出する高さは、接続する端子を引掛けて係止させることができる程度の高さとなっている。本実施の形態において、この端子係止部６の高さは、側壁５の１／２の高さとなっている。また、この端子係止部６の直径は、後述するが、汎用の穴部を有する端子の穴部の直径に対応した適宜の大きさとなっている。本実施の形態においては、このような端子係止部６が６個設けられている。
【００１８】
また、この各端子係止部６の間には、本体側隔壁７が設けられている。この本体側隔壁７は、本体側基板４から突出する壁状の部材であって、本体側基板４に立設する上側壁面９と一部が接触した状態となっている。この本体側隔壁７は、隣り合う前記端子係止部６の間に適宜の間隔をもって設置されている。本実施の形態においては、本体側基板４上に５枚の本体側隔壁７が突出した状態となっている。また、本実施の形態において、この本体側隔壁７の突出する高さは、前記端子係止部６と同じ高さとなっている。すなわち、この本体側隔壁７の高さは、前記側壁５の１／２の高さとなっている。
【００１９】
このようなジョイントボックス本体２には、ジョイントボックスカバー３が係合されるようになっている。本実施の形態においては、このジョイントボックス本体２とジョイントボックスカバー３とが、それぞれヒンジ１０で接続された状態となっている。
【００２０】
このジョイントボックスカバー３は、略板状に形成されていて、カバー側基板１１と該カバー側基板１１の両端縁に設けられた側壁１２，１２とを有している。カバー側基板１１は、平坦な表裏面を有し、かつジョイントボックス本体２の本体側基板４とほぼ同じサイズに形成された板状の部分であって、該カバー側基板１１の両側端部から側壁１２，１２が突出した状態となっている。
【００２１】
本実施の形態において、この側壁１２，１２は、前記ジョイントボックス本体２の側壁５，５と同じ高さに形成されていて、前記ジョイントボックス本体２と前記ジョイントボックスカバー３とが係合した際に、前記ジョイントボックス本体２の側壁５，５の外側部分に配置されるようになっている。また、この側壁１２，１２のそれぞれの内側の側面には、前記側壁５，５に設けられた前記ロック部８に対応した突部状のロック手段１３が形成されている。
【００２２】
また、ジョイントボックスカバー３のカバー側基板１１には、複数個の係止部材１４が設けられている。本実施の形態において、この係止部材１４は、カバー側基板１１から略円柱状に突出して、側壁１２，１２間において並列に配置されている。この係止部材１４は、前記端子係止部６と同じ数だけ設けられているものであって、本実施の形態においては、６個の係止部材１４が設けられている。また、この係止部材１４は、カバー側基板１１上において、前記端子係止部６と等間隔となるように配置されている。
【００２３】
また、本実施の形態においては、この係止部材１４の突出する高さは、側壁１２，１２の１／２の高さとなっていて、この係止部材１４の端面の直径は、前記端子係止部６の端面の直径よりも若干大きく形成されている。このように、前記端子係止部６の端面の直径よりも前記係止部材１４の端面の直径を大きくすると、前記端子係止部６に端子を引掛けた状態で、この端子係止部６と係止部材１４との端面同士を合わせることで、前記端子係止部６に引掛けた端子が抜けてしまうのを防ぐことができるようになっている。
【００２４】
さらに、このカバー側基板１１上に突出する各係止部材１４の間には、カバー側隔壁１５が設けられている。このカバー側隔壁１５は、カバー側基板１１から突出した壁状の部材である。このカバー側隔壁１５は、絶縁性を有する素材で形成されていて、隣り合う前記係止部材１４の間に適宜の間隔をもって設置されている。本実施の形態においては、前記本体側隔壁７と同様に、カバー側基板１１上に５枚のカバー側隔壁１５が突出した状態となっている。
【００２５】
また、本実施の形態において、このカバー側隔壁１５の突出する高さは、前記側壁１２，１２の１／２の高さとなっている。すなわち、このカバー側隔壁１５は、並立する前記係止部材１４と同一の高さとなっている。
【００２６】
図２は、図１における配線ユニットケーブル用ジョイントボックスに配線ユニットケーブルが配索された状態（ジョイントボックスカバー３が開いた状態）を示す斜視図である。
【００２７】
図において、ジョイントボックス本体２には、その開口部から６本の配線ユニットケーブル１６が差込まれた状態となっている。この各配線ユニットケーブル１６には結線部が形成されている。この結線部は、配線ユニットケーブル１６の端部から引出される複数本の絶縁線心１７の端部が所定の回路となるように端子１８が接続されているものである。この端子１８は、中心部に穴部１８ａ（図５参照）が設けられていて、該穴部１８ａが端子係止部６に貫通した状態となっている。また、本実施の形態において、この端子１８は、本実施の形態において汎用の圧着端子が用いられている。また、この端子１８の穴部１８ａの内径は、前記端子係止部６の直径よりも若干大きいものとなっていて、このような端子１８と複数本の絶縁線心１７とを接続し、前記端子係止部６に前記端子１８の穴部を通して前記端子１８を引掛けることによって、配線ユニットケーブル１６を係止させている。
【００２８】
また、本実施の形態において絶縁線心１７と接続する端子は、図３に示すような穴あき端子棒１９とスリーブ２０を用いることも可能となっている。中心部分に穴部１９ａを有する穴あき端子棒１９とスリーブ２０とを用いて、前記スリーブ２０内部に前記穴あき端子棒１９と絶縁線心１７の導体部分を入れて加締め圧着させて端子を成形させ、成形した端子を用いることも可能である。この場合も、前記端子１８と同様に、前記端子係止部６に穴あき端子棒１９の穴部１９ａを通して、配線ユニットケーブル１６を係止させるようになっている。
【００２９】
図４には、図２におけるジョイントボックス本体２にジョイントボックスカバー３が取り付けられた状態の斜視図が、図５には、図４における要部断面図がぞれぞれ示されている。なお、図４において、ジョイントボックスカバー３は、内部構造を説明するための便宜上、仮想線で示している。
【００３０】
図４において、配線ユニットケーブル用ジョイントボックス１は、ジョイントボックス本体２にジョイントボックスカバー３がヒンジ１０を介して取り付けられた状態となっている。本実施の形態においては、ジョイントボックス本体２にジョイントボックスカバー３を取り付けると、側壁１２，１２が前記ジョイントボックス本体２の本体側基板４の上に載置され、かつ、側壁５，５の外側に係合するようになっている。また、この時、特に図示しないが、前記ジョイントボックス本体２の側壁５，５に設けられた穴部状のロック部８，８と、前記ジョイントボックスカバー３の側壁１２，１２に設けられた突部状のロック手段１３，１３とが係合して、前記ジョイントボックス本体２と前記ジョイントボックスカバー３とをロックすることができるようになっている。
【００３１】
そして、ジョイントボックス本体２にジョイントボックスカバー３が取り付けられると、図に示すように、ジョイントボックス本体２から突出する６個の端子係止部６と、前記ジョイントボックスカバー３から突出する６個の係止部材１４との端面同士が係合するようになっている。ここで、端子係止部６と係止部材１４とは等間隔で設置されていて、前記係止部材１４の端面の大きさは前記端子係止部６の端面の大きさよりも大きくなっている。
【００３２】
また、図４において、配線ユニットケーブル用ジョイントボックス１に設けられている穴は、取り付け穴である。この取り付け穴は、図１における上側壁面９の上部に設けられていて、本発明の配線ユニットケーブル用ジョイントボックス１を壁や柱等に取り付けするための穴となっている。
【００３３】
また、６個の各端子係止部６には、端子１８が引掛けられている。そして、この状態で、前記端子係止部６の上端面に前記係止部材１４が接合している。この図４における端子係止部６と係止部材１４との接合箇所の要部断面図が図５に示されている。
【００３４】
図において、端子係止部６と係止部材１４とは、その端面同士が面接触した状態となっている。この突起状に形成された端子係止部６には端子１８の穴部１８ａが貫通した状態となっている。そして、前記係止部材１４は、前記端子係止部６よりも大きく形成されているので、前記端子１８が前記本体側基板４と前記係止部材１４との間に挟まれた状態となる。すなわち、前記係止部材１４が前記端子１８のストッパーの役割を果たし、前記端子１８が前記端子係止部６に引掛けられた状態を保持することができるので、端子１８に接続された前記配線ユニットケーブル１６がジョイントボックス本体２から引出される方向に移動するのを阻止させることができる。
【００３５】
また、ジョイントボックス本体２にジョイントボックスカバー３が取り付けられて、前記端子係止部６と係止部材１４とが係合すると同時に、ジョイントボックス本体２から突出する５枚の本体側隔壁７とジョイントボックスカバー３から突出する５枚のカバー側隔壁１５とがそれぞれ係合するようになっている。そして、この本体側隔壁７とカバー側隔壁１５とが係合することで、ジョイントボックス本体２の本体側基板４とジョイントボックスカバー３のカバー側基板１１との間隔を満たす隔壁を形成させている。このように構成することで、配線ユニットケーブル用ジョイントボックス１の内部に、５枚の隔壁を形成させて、６本の配線ユニットケーブル１６をそれぞれ隔離して絶縁させることができるようになる。
【００３６】
また、このように本体側隔壁７とカバー側隔壁１５とが係合することで、この係合した２つの隔壁が配線ユニットケーブル用ジョイントボックス１の柱の役割をして、配線ユニットケーブル用ジョイントボックス１の強度を増大させることが可能となっている。
【００３７】
続いて、本発明に係る配線ユニットケーブル用ジョイントボックスの第二の実施の形態を図面を用いて説明する。
図６には、本発明に係る配線ユニットケーブル用ジョイントボックスの第二の実施の形態を示す斜視図が示されている。
図において、３１は、配線ユニットケーブル用ジョイントボックスであって、ジョイントボックス本体３２に２つのジョイントボックスカバー３３，３４を設けた構造となっている。図においては、配線ユニットケーブルが配索される前の状態が示されている。
【００３８】
図において、このジョイントボックス本体３２は、本体側基板３５と、該本体側基板３５の表面及び裏面に設けられた側壁３６，３７とを有する構造となっている。
【００３９】
この本体側基板３５は平坦表裏面を有する平面視矩形状の板状の部分であって、この本体側基板３５の表面の両側端部近傍からは側壁３６，３６が、裏面の両側端部近傍からは側壁３７，３７がそれぞれ突出した状態となっている。この側壁３６，３７は、ジョイントボックス本体３２内部に配置される配線ユニットケーブルの大きさに合わせた適宜の高さを有していて、本体側基板３５の表面及び裏面に、それぞれ一体成形されている。そして、このような側壁３６，３６の外側の側面には、穴部状に形成されたロック部３８が設けられていて、側壁３７，３７の外側の側面には、該ロック部３８と同様なロック部３９が設けられた構造となっている。
【００４０】
この配線ユニットケーブル用ジョイントボックス３１における端子固定手段は次のように構成されている。
ジョイントボックス本体３２においては、図における本体側基板３５の表面に複数個の端子係止部４０が配置されている。図において、この端子係止部４０は、本体側基板３５の表面から略円柱状に突出するように一体成形されていて、側壁３６，３６間に並列に配置されている。本実施の形態においては、６個の端子係止部４０が設けられている。
【００４１】
この各端子係止部４０の間には、本体側隔壁４１が設けられている。この本体側隔壁４１は、本体側基板３５から突出する壁状の部材であって、本体側基板３５と一体成形されている。この本体側隔壁４１は、隣り合う前記端子係止部４０の間に適宜の間隔をもって設置されている。
【００４２】
また、本実施の形態においては、本体側基板３５を貫通する貫通孔４２が設けられている。この貫通孔４２は、前記本体側基板３５の表面と裏面を貫通する形状となっていて、前記側壁３６，３６間において適宜の幅を有する長穴状に形成されている。
【００４３】
続いて、前記ジョイントボックス本体３２と係合可能なジョイントボックスカバー３３における端子固定手段について説明する。
前記ジョイントボックス本体３２の表面には、ジョイントボックスカバー３３が係合可能となっている。本実施の形態において、ジョイントボックスカバー３３は、前記ジョイントボックス本体３２にヒンジを介して接続されている。このジョイントボックスカバー３３は、略板状に形成されていて、カバー側基板４３と該カバー側基板４３の両端縁に設けられた側壁４４，４４とを有している。カバー側基板４３は、平坦な表裏面を有し、かつジョイントボックス本体３２の本体側基板３５とほぼ同じサイズに形成された板状の部分であって、該カバー側基板４３の両側端部から側壁４４，４４が突出した状態となっている。
【００４４】
本実施の形態において、この側壁４４，４４は、前記ジョイントボックス本体３２に前記ジョイントボックスカバー３３を嵌合させた際に、前記ジョイントボックス本体３２の側壁３６，３６の外側部分に配置されるようになっていて、前記ジョイントボックス本体３２の側壁３６，３６と、前記ジョイントボックスカバー３３の側壁４４，４４とが同じ高さに形成されている。また、この側壁４４，４４のそれぞれの内側の側面には、前記側壁３６，３６に設けられている前記ロック部３８に対応した突部状のロック手段４５が形成されている。
【００４５】
また、ジョイントボックスカバー３３のカバー側基板４３には、複数個の係止部材４６が設けられている。本実施の形態において、この係止部材４６は、カバー側基板４３から略円柱状に突出して、側壁４４，４４間において並列に配置されている。この係止部材４６は、前記端子係止部４０と同じ数だけ設けられているものであって、本実施の形態においては６個の係止部材４６が設けられている。また、この係止部材４６は、カバー側基板４３上において、前記端子係止部４０と等間隔となるように配置されている。また、この係止部材４６の端面の直径は、前記端子係止部４０の端面の直径よりも若干大きく形成されている。このように、前記端止係止部４０の端面の直径よりも前記係止部材４６の端面の直径を大きくすると、前記端子係止部４０に端子を引掛けた状態で、この端子係止部４０と係止部材４６との端面同士を合わせることで、前記端子係止部４０に引掛けた端子５１が抜けてしまうのを防ぐことができるようになっている。
【００４６】
さらに、このカバー側基板４３上に突出した各係止部材４６の間には、カバー側隔壁４７が設けられている。このカバー側隔壁４６は、カバー側基板４３から突出した壁状の部材である。このカバー側隔壁４７は、隣り合う前記係止部材４６の間に適宜の間隔をもって設置されている。本実施の形態においては、前記本体側隔壁４１と等間隔で、カバー側基板４３上に５枚のカバー側隔壁４７が突出した状態となっている。
以上のように、ジョイントボックスカバー３３における端子固定手段が構成されている。
【００４７】
なお、本実施の形態における配線ユニットケーブル用ジョイントボックス３１は、ジョイントボックス本体３２の表面だけでなく、裏面にも上記と同様に端子を固定することができる。すなわち、図示しないが、前記ジョイントボックス本体３２の本体側基板３５の裏面には、表面と同様に、複数個の端子係止部と本体側隔壁とが設けられた構造となっている。また、この本体側基板３５の裏面の構成に対応して、前記ジョイントボックスカバー３４にも、前記ジョイントボックスカバー３３と同様な係止部材が設けられている。本実施の形態において、前記ジョイントボックスカバー３４には、前記ジョイントボックスカバー３３と同様に、６個の係止部材と５枚のカバー側隔壁とが設けられた構成となっている。
【００４８】
このように構成することによって、より多くの配線ユニットケーブルをジョイントボックスに配索させることが可能となっている。
【００４９】
図７には、図６における配線ユニットケーブル用ジョイントボックス３１に配線ユニットケーブル４８が配索された状態が示されている。
図において、配線ユニットケーブル用ジョイントボックス３１には、本体側基板３５の表面および裏面の両方の面に沿って、配線ユニットケーブル４８，４９が配索されている。
【００５０】
図において、本体側基板３５の表面に配索された配線ユニットケーブル４８は３心からなっていて、各配線ユニットケーブル４８の端部から複数本の絶縁線心５０が引出されている。そして、この複数本の各絶縁線心５０が適宜の配線となるように、絶縁線心５０が端子５１に接続された状態となっている。そして、この端子５１は、図に示すように、前記本体側基板３５に設けられた前記端子係止部４０に引掛けられた状態となっている。
【００５１】
また、本体側基板３５の裏面に配索された配線ユニットケーブル４９も前記配線ユニットケーブル４８と同様に３心からなっていて、図示しないが、前記配線ユニットケーブル４８と同様に、各配線ユニットケーブル４９の端部から複数本の絶縁線心５２が引出されて、本体側基板３５の裏面において端子と接続されている。
【００５２】
ここで、本実施の形態におけるジョイントボックス本体３２の本体側基板３５には、該本体側基板３５の表裏面を貫通する貫通孔４２が設けられた構造となっている。この貫通孔４２は、前記本体側基板３５上において、前記本体側隔壁４１の端部近傍に設けられていて、前記配線ユニットケーブル４８，４９の絶縁線心５０，５２が通過することができる程度の大きさを有する長穴状に形成されている。そして、前記本体側基板３５の裏面に配索された配線ユニットケーブル４９の複数本の絶縁線心５２のうちの数本がこの貫通孔４２を通って、前記本体側基板３５の表面の端子５１に接続された状態となっている。また、同様に前記本体側基板３５の表面に配索された前記配線ユニットケーブル４８の複数本の絶縁線心５０のうちの数本が、この貫通孔４２を通って、前記本体側基板３５の裏面の端子に接続された状態となっている。
【００５３】
このように、本体側基板３５の表裏面を貫通する貫通孔４２を設けることによって、両面に端子を接続可能な配線ユニットケーブル用ジョイントボックス３１において、絶縁線心と端子との接続を自由にすることが可能となっている。
【００５４】
図８には、図７におけるジョイントボックス本体３２にジョイントボックスカバー３３，３４が取り付けられた状態の斜視図が、図９には、図８の要部断面図がそれぞれ示されている。
【００５５】
図８において、配線ユニットケーブル用ジョイントボックス３１は、ジョイントボックス本体３２にジョイントボックスカバー３３，３４がそれぞれ取り付けられた状態となっている。本実施の形態において、ジョイントボックスカバー３３，３４は、本体側基板３５の表面および裏面に接触して係止した状態となっている。そして、ジョイントボックスカバー３３，３４がジョイントボックス本体３２に取り付けられた状態で、配線ユニットケーブル４８，４９がそれぞれ複数本突出した状態となっている。これらの配線ユニットケーブル４８，４９は、図における配線ユニットケーブル用ジョイントボックス３１の内部において接続されている。
【００５６】
図９には、図８における要部断面図が示されている。図において、本体側基板３５の表裏面には端子を接続するための端子係止部４０，４０’が設けられいて、この端子係止部４０，４０’には、端子５１，５１’が引掛けられた状態となっていて、この端子５１，５１’には、前記絶縁線心５０，５２が接続されている。ここで、この複数本からなる前記絶縁線心５０，５２のうちの数本が、前記本体側基板３５に設けられた貫通孔４２を通ってクロスした状態となっている。すなわち、配線ユニットケーブル４８の絶縁線心５０を端子５１’に接続して、配線ユニットケーブル４９の絶縁線心５２を端子５１に接続させることが可能となっている。そして、この状態で、前記ジョイントボックスカバー３３の係止部材４６の端面が前記端子係止部４０の端面と接合し、前記ジョイントボックスカバー３４の係止部材４６’の端面が前記端子係止部４０’の端面と接合している。ここで、前記ジョイントボックスカバー３３，３４の係止部材４６，４６’の端面の大きさが、前記端子係止部４０，４０’の端面の大きさよりも大きく形成されているので、前記端子５１，５１’が前記本体側基板３５と前記係止部材４６，４６’との間に挟まれた状態となる。すなわち、前記係止部材４６，４６’が、前記端子５１，５１’のストッパーの役割を果たし、前記端子５１，５１’が前記端子係止部４０，４０’に引掛けられた状態を保持することができるので、端子５１，５１’に接続された前記配線ユニットケーブル４８，４９がジョイントボックス本体から引出される方向に移動するのを阻止させることができる。
【００５７】
図１０には、本発明に係る配線ユニットケーブル用ジョイントボックスの第三の実施の形態が示されている。
図における配線ユニットケーブル用ジョイントボックス６０は、前記本発明の第一の実施の形態における配線ユニットケーブル用ジョイントボックスのジョイントカバーの構成を変更したものとなっている。図において、前記本発明の第一の実施の形態と同様の構成となる箇所に関しては、同じ引用符号を用いて説明する。
【００５８】
図において、配線ユニットケーブル用ジョイントボックス６０は、ジョイントボックス本体２とジョイントボックスカバー６１とを有する構成となっている。このジョイントボックス本体２は、側壁５を有する本体側基板４上に、６個の端子係止部６が並列に設けられていて、該端子係止部６の間には５枚の本体側隔壁７が設けられている。なお、この６個の端子係止部６及び５枚の本体側隔壁７は、いずれも同じ高さを有していて、本実施の形態において、その高さは、前記側壁５の高さの１／２の高さとなっている。そして、これら６個の端子係止部６には、それぞれ端子１８が引掛けられていて、該端子１８は、配線ユニットケーブル１６の絶縁線心１７が接続された状態となっている。
【００５９】
また、ジョイントボックス本体２には、ジョイントボックスカバー６１が係合されるようになっている。本実施の形態において、このジョイントボックスカバー６１は、略板状に形成されていて、カバー側基板６２と該カバー側基板６２の両端縁に設けられた側壁６３，６３を有している。
【００６０】
この側壁６３，６３は、前記ジョイントボックス本体２に前記ジョイントボックスカバー６１を嵌合させた際に、前記ジョイントボックス本体２の側壁５，５の外側部分に配置されるようになっていて、前記ジョイントボックス本体２の側壁５，５と前記ジョイントボックスカバー６１の側壁６３，６３とが、同じ高さに形成されている。
【００６１】
本実施の形態において、このジョイントボックスカバー６１のカバー側基板６２には、係止部材６４が設けられている。この係止部材６４は、側壁６３，６３の間において略矩形状に突出した部材であって、カバー側基板６２と一体成形されている。また、この略矩形状の係止部材６４の長手方向の長さは、前記ジョイントボックス本体２における側壁５，５間の幅に合わせた長さとなっていて、その幅は前記本体側隔壁７の長手方向の長さとほぼ同様の幅を有している。さらに、この係止部材６４の突出する高さは、前記ジョイントボックス本体２における端子係止部６および本体側隔壁７の高さと同様に、前記側壁５，５の１／２の高さとなっている。
【００６２】
そして、このような係止部材６４を備えたジョイントボックスカバー６１をジョイントボックス本体２に係合させると、前記係止部材６４と６個の端子係止部６の端面および５枚の本体側隔壁７の端面と、前記係止部材６４の端面とが係合するようになっている。ここで、前記係止部材６４と前記端子係止部６とを合わせた高さと、側壁５，５の高さとが同じ高さとなっている。そして、図示しないが、前記端子係止部６と前記係止部材６４とを合わせることによって、前記端子係止部６に引掛けられた端子１８が端子係止部６から抜け外れるのを防ぐことができるようになる。
【００６３】
また、この係止部材６４は、６個の前記端子係止部６と係合すると共に、５枚の前記本体側隔壁７とも係合するようになっている。このように構成することによって、前記端子１８同士を絶縁させることが可能となると共に、配線ユニットケーブル用ジョイントボックス６０を補強させることができる。すなわち、この係止部材６４は、本発明に係る第一の実施の形態における係止部材とカバー側隔壁の両方の役割を兼ねる部材となっている。
【００６４】
また、特に図示しないが、前記ジョイントボックス本体から突出する突部状の端子係止部に合わせて、係止部材を凹部状に形成させることも可能となっている。すなわち、突部状に形成した端子係止部の形状に嵌合する凹部状の係止部材を設けることによって、端子係止部に端子を引掛けて、該端子係止部に係止部材を嵌合させることで、端子を係止させることができるようになる。
【００６５】
なお、本実施の形態においては、ジョイントボックス本体とジョイントボックスカバーとがヒンジで一体となった配線ユニットケーブル用ジョイントボックスを例に挙げて説明したが、これに限るものではなく、ジョイントボックス本体とジョイントボックスカバーとが別体成形されたものでもよいものとする。
【００６６】
さらに、本実施の形態においては、端末係止部の高さが側壁の１／２の高さであるものを例に挙げて説明したが、これに限るものではなく、端末係止部の高さは、端子を引掛けることができる程度の高さを有するものであればよいものとする。この時、端末係止部の高さに合わせて係止部材の高さを変化させて、端末係止部の高さと係止部材の高さとの和が側壁の高さと同じになるようにする。
【００６７】
また、本実施の形態においては、６個の端末係止部を有する配線ユニットケーブル用ジョイントボックスを例に挙げて説明したが、これに限るものではなく、接続する配線ユニットケーブルの本数に合わせて端末係止部の数を変えた配線ユニットケーブル用ジョイントボックスを形成させることも可能である。
【００６８】
【発明の効果】
本発明は、以上説明したように構成されているので、以下に記載されるような効果を奏する。
【００６９】
請求項１に記載の発明によれば、ジョイントボックス本体の本体側基板上に突起状の端子係止部を設けて配線ユニットケーブルの端末の端子を貫通させ、ジョイントボックスカバーに係止部材を設けて前記端子係止部と接触させて端子が抜けてしまうのを阻止しているので、ジョイントボックス内部に熱硬化性樹脂を注入して配線ユニットケーブルの端部をモールドせずに配線ユニットケーブルを接続することができるようになる。このため、配線ユニットケーブル用ジョイントボックスを軽量化させることができるようになる。また、熱硬化性樹脂の硬化に必要だった待ち時間がなくなるので、配線ユニットケーブル用ジョイントボックスの製造に必要な時間を短縮させることができるようになる。
【００７０】
また、配線ユニットケーブルを樹脂でモールドせずに、端子を端子係止部に引掛けて、端子係止部と係止部材とで端子を係止させるので、配線ユニットケーブルの配線を容易に行うことが可能となり、回路変更や結線の修復を容易に行うことができるようになる。
【００７１】
請求項２に記載の発明によれば、端子係止部と嵌合する係止部材を凹状に形成したので、端子係止部と嵌合して端子が抜け難い配線ユニットケーブル用ジョイントボックスを提供することができるようになる。
【００７２】
請求項３に記載の発明によれば、端子係止部をジョイントボックス本体の基板の表面に設けたので、配索する配線ユニットケーブルの本数が少ない際に好適で、コンパクトな形状の配線ユニットケーブル用ジョイントボックスを提供することができるようになる。
【００７３】
請求項４に記載の発明によれば、端子係止部をジョイントボックス本体の基板の表裏面に設けたので、多くの配線ユニットケーブルを配索する際に好適な配線ユニットケーブル用ジョイントボックスを提供することができるようになる。
【００７４】
請求項５に記載の発明によれば、端子係止部が本体側基板の表裏面に設けられた配線ユニットケーブル用ジョイントボックスにおいて、本体側基板に貫通孔を設けた構成としたので、基板の表裏面のどちらに配線ユニットケーブルを配置しても、その位置に関係なく、所定の回路とすることができるようになる。
【００７５】
請求項６に記載の発明によると、ジョイントボックス本体に本体側隔壁を設けて、ジョイントボックスカバーにカバー側隔壁を設けて、該本体側隔壁と該カバー側隔壁とが係合するので、絶縁性と強度を備えた配線ユニットケーブル用ジョイントボックスを提供することができるようになる。
【００７６】
請求項７に記載の発明によると、ジョイントボックス本体とジョイントボックスカバーとにロック手段を設けたので、ジョイントボックス本体とジョイントボックスカバーとを係合または離脱自在とすることができる。
【図面の簡単な説明】
【図１】本発明に係る配線ユニットケーブル用ジョイントボックスの第一の実施の形態（配線ユニットケーブルが配索されていない状態）を示す斜視図である。
【図２】図１における配線ユニットケーブル用ジョイントボックスに配線ユニットケーブルを配索した状態を示す斜視図である。
【図３】本発明に係る端子係止部と穴あき端子棒との接続を示す斜視図である。
【図４】図２における配線ユニットケーブル用ジョイントボックスのジョイントボックス本体にジョイントボックスカバーが取り付けられた状態を示す斜視図である。
【図５】図４における要部断面図である。
【図６】本発明に係る配線ユニットケーブル用ジョイントボックスの第二の実施の形態（配線ユニットケーブルが配索されていない状態）を示す斜視図である。
【図７】図６における配線ユニットケーブル用ジョイントボックスに配線ユニットケーブルを配索した状態を示す斜視図である。
【図８】図７における配線ユニットケーブル用ジョイントボックスのジョイントボックス本体にジョイントボックスカバーが取り付けられた状態を示す斜視図である。
【図９】図８における要部断面図である。
【図１０】本発明に係る配線ユニットケーブル用ジョイントボックスの第三の実施の形態を示す斜視図である。
【符号の説明】
１，３１…………………配線ユニットケーブル用ジョイントボックス
２…………………………ジョイントボックス本体
３，３３，３４…………ジョイントボックスカバー
４，３５…………………本体側基板
６…………………………端子係止部
７…………………………本体側隔壁
１１………………………カバー側基板
１３………………………ロック手段
１４………………………係止部材
１５………………………カバー側隔壁
１６………………………配線ユニットケーブル
１７，５０，５２………絶縁線心
１８………………………端子
１８ａ……………………穴部
４２………………………貫通孔
【図１】
2004072976.tif 000003
【図２】
2004072976.tif 000004
【図３】
2004072976.tif 000005
【図４】
2004072976.tif 000006
【図５】
2004072976.tif 000007
【図６】
2004072976.tif 000008
【図７】
2004072976.tif 000009
【図８】
2004072976.tif 000010
【図９】
2004072976.tif 000011
【図１０】
2004072976.tif 000012